(57)【要約】【課題】作業工数を少なくして、施工を簡易なものとすることができるとともに、断熱材の内部に密閉空間を確実に形成することができ、断熱性を維持することができる建築用パネルを提供する。【解決手段】建築用パネルは、外板１１と、同外板１１の内面に接合された間柱１２及び断熱材１３とから構成されている。断熱材１３の両側端部１３ａの外面には、支持材間への嵌め込み時に側端部１３ａを変形させるための調整溝２２が形成されている。また、同断熱材１３は中空状をなし、その内部にリブ１６が設けられることにより、同リブ１６で内部の空間が区分けされて形成された複数の密閉空間１９を有している。【選択図】　　　　図１
2004092343.tif 000002
【特許請求の範囲】
【請求項１】
平板状をなす外板と、同外板の表面上に接合された発泡体よりなる中空状の断熱材とを備え、外板を外側に、断熱材を内側に配置した状態で建築物の対向する一対の支持材の間に断熱材が嵌め込まれて固定される建築用パネルであって、
前記断熱材は、その両端部の外側又は内側の面に前記支持材と平行に延びる嵌め込み用の調整溝が凹設されるとともに、断熱材の内部に複数のリブを設けることにより、同リブで内部の空間が区分けされて形成された複数の密閉空間を有することを特徴とする建築用パネル。
【請求項２】
前記断熱材は、その内側の面に支持桟を嵌合するための嵌合凹部が設けられるとともに、同嵌合凹部の隣接位置に支持桟に沿って布設される屋内配線を収容するための収容凹部が設けられたものである請求項１に記載の建築用パネル。
【請求項３】
前記断熱材は、複数の中空状の分割体を組み合わせることによって構成されるものであり、前記複数のリブで各分割体の内部の空間をそれぞれ区分けすることにより、各分割体が複数の密閉空間をそれぞれ有することを特徴とする請求項１又は請求項２に記載の建築用パネル。
【発明の詳細な説明】
【０００１】
【発明の属する技術分野】
本発明は、木造家屋などを建築する際、壁材、床材、天井材等として使用される建築用パネルに関するものである。
【０００２】
【従来の技術】
従来、壁材として使用される断熱材は、発泡体より四角板状に形成され、対向する一対の柱の間に挿入された状態で、柱との間に形成された隙間に充填剤が充填されることによって両柱間に固定されていた。そして、固定された断熱材の内面及び外面に支持桟、内装板、外板、胴渕、外装板等が接合されることにより、建築物の壁面が形成されていた。しかし、この場合、充填剤を充填する充填作業、外板等を断熱材に接合する接合作業等の複数の作業を行わなければならず、作業に係る工数が多く、煩雑で施工性が悪いものとなっていた。
【０００３】
そこで、作業に係る工数を少なくして、施工を簡易なものとすることが可能な建築用壁パネルとして、次のような構成のものが提案されている（例えば、特許文献１参照。）。すなわち、この建築用壁パネルは、外板と、断熱材とを接合して構成されている。断熱材は、その両端の内面及び外面に各一対の内溝及び外溝が切り欠き形成されており、これら内溝及び外溝に基づくばね作用により両端部分が変形可能に構成されている。そして、当該建築用壁パネルによれば、断熱材と外板とが一体化されているため接合作業の一部を省略することが可能であり、ばね作用の付勢力で断熱材の両端部分が柱にそれぞれ押付けられることにより、断熱材と柱との間に隙間が形成されず、充填作業を省略することが可能である。
【０００４】
【特許文献１】
特開平１１−１３１６１号公報　（第２−４頁、図１−３）
【０００５】
【発明が解決しようとする課題】
ところで、上記従来の建築用壁パネルにおいて、前記断熱材は、板状の本体と、同本体の周囲から突出する枠状の突出部とにより横断面コの字状に形成されている。そして、当該断熱材の突出部の端面に前記外板を接合し、断熱材の本体及び突出部と外板とによって囲まれた内側に密閉空間を形成することにより、断熱性を高めるような構成とされていた。一方、建築物において複数の柱間でそれぞれの距離は一定ではなく、この場合、取付位置となる各柱間の距離にそれぞれ応じ、断熱材の一部をカットする等して断熱材をサイズ調整する必要がある。しかし、このサイズ調整時に断熱材がその突出部よりも内側でカットされた場合、突出部の一部が切除されてしまい、前記密閉空間を形成することができず、断熱性の低減を招いてしまうという問題があった。また、サイズの異なる複数の断熱材を用意し、柱間の距離に応じて使い分ける方法もあるが、この場合、断熱材を成形するための成形型が複数必要となり、却って製造コストが嵩んでしまうという問題があった。
【０００６】
この発明は、このような従来技術に存在する問題点に着目してなされたものである。その目的とするところは、作業工数を少なくして、施工を簡易なものとすることができるとともに、断熱材の内部に密閉空間を確実に形成することができ、断熱性を維持することができる建築用パネルを提供することにある。
【０００７】
【課題を解決するための手段】
上記の目的を達成するために、請求項１に記載の建築用パネルの発明は、平板状をなす外板と、同外板の表面上に接合された発泡体よりなる中空状の断熱材とを備え、外板を外側に、断熱材を内側に配置した状態で建築物の対向する一対の支持材の間に断熱材が嵌め込まれて固定される建築用パネルであって、前記断熱材は、その両端部の外側又は内側の面に前記支持材と平行に延びる嵌め込み用の調整溝が凹設されるとともに、断熱材の内部に複数のリブを設けることにより、同リブで内部の空間が区分けされて形成された複数の密閉空間を有することを特徴とするものである。
【０００８】
請求項２に記載の建築用パネルの発明は、請求項１に記載の発明において、前記断熱材は、その内側の面に支持桟を嵌合するための嵌合凹部が設けられるとともに、同嵌合凹部の隣接位置に支持桟に沿って布設される屋内配線を収容するための収容凹部が設けられたことを特徴とするものである。
【０００９】
請求項３に記載の建築用パネルの発明は、請求項１又は請求項２に記載の発明において、前記断熱材は、複数の中空状の分割体を組み合わせることによって構成されるものであり、前記複数のリブで各分割体の内部の空間をそれぞれ区分けすることにより、各分割体が複数の密閉空間をそれぞれ有することを特徴とするものである。
【００１０】
【発明の実施の形態】
以下、本発明を具体化した一実施形態を図面に基づいて説明する。
図１は、実施形態の建築用パネルを示す分解斜視図である。同建築用パネルは、四角板状をなす外板１１と、同外板１１の内面に接合された間柱１２及び断熱材１３とから構成されている。前記外板１１は構造用合板より形成され、例えば耐火性、耐久性、通気性等のような所望する目的に応じ、その材料にはモルタル、コンクリート、石膏、自然石等の石材、木材、合成樹脂等が使用される。
【００１１】
前記間柱１２は、木材、金属等より長板状に形成され、外板１１の短手方向の中央に配置されるとともに、釘、木ねじ、接着剤等を使用して外板１１に接合されている。そして、同間柱１２を接合することにより、外板１１は、反り、曲り等のような変形を抑制されるとともに、該間柱１２によって補強され、所定の強度を確保することができるように構成されている。
【００１２】
前記断熱材１３は、合計で４つの分割体１４を組み合わせ、それぞれを外板１１に接合することによって構成されている。この分割体１４は、本体部１４ａと蓋材１８とより構成されている。図２（ａ），（ｂ）は、それぞれ本体部１４ａを示す正面図及び背面図であり、図３は、建築用パネルを示す断面図である。本体部１４ａは、ビーズ法により製造されたポリスチレン発泡体を材料とし、正面から見て縦長の長方形状をなすように形成されている。また、本体部１４ａは所定厚さに形成されるとともに、その背面の略中央部分を肉抜きすることにより、背面及び一端面（図２（ｂ）中で下端面）で開口される凹部１５を内部に有している。
【００１３】
当該凹部１５の内底面にはリブ１６が突設されている。同リブ１６は、本体部１４ａの短手方向に延びる横リブ１６ａと、同横リブ１６ａと直交する方向、つまり本体部１４ａの長手方向に延びる縦リブ１６ｂとから格子状に形成されている。また、同リブ１６は、その高さが本体部１４ａの背面の周縁部分よりも低くなるように形成されている。このリブ１６とその高さを合わせるように、凹部１５の内周面には係止段部１７が凹設されている。
【００１４】
前記蓋材１８は、ポリスチレン発泡体より縦長四角板状に形成されている。同蓋材１８は、その周縁部分を係止段部１７に係合させるとともに、該係止段部１７の内面及びリブ１６の端面のうち少なくとも一方に接着剤等を使用して接合されている。そして、図１及び図３に示すように、本体部１４ａに蓋材１８が接合され、その凹部１５の背面の開口が蓋材１８によって閉塞されることにより、前記分割体１４は、リブ１６によってその内部に複数の密閉空間１９が区画形成された中空状に構成されている。
【００１５】
各分割体１４は、外板１１の長手方向及び短手方向にそれぞれ二列ずつ並設されて外板１１に接合されている。外板１１への接合時において、一対の分割体１４が外板１１の長手方向に並ぶように上下に組み合わされることにより、前記凹部１５の一端面の開口が閉塞される。この上下一対の分割体１４は、互いの端面が接着剤等で接合されるとともに、その背面及び蓋材１８が外板１１に接合されている。該上下一対の分割体１４が間柱１２を挟んで外板１１の短手方向で対向するように左右に各一対ずつ配置され、それぞれが外板１１及び間柱１２に接合されることにより、断熱材１３が構成されている。該断熱材１３は、これを構成する中空状をなす各分割体１４の内部にそれぞれリブ１６による密閉空間１９が区画形成されていることから、中空状に形成されるとともに、その内部に複数の密閉空間１９を有している。
【００１６】
建築物において、支持材としての一対の柱は、互いに平行に延びるように配設された土台及び桁の間で、これら土台及び桁に対して直交する方向へ延びるように立設されている。図３に示すように、建築用パネルは、外板１１を外側（屋外側）、断熱材１３を内側（屋内側）に配置した状態で一対の柱３１と、図示しない土台及び桁とによって形成される枠内に断熱材１３が嵌め込まれることによって固定されている。さらに、断熱材１３の屋内側の面を内面とし、同内面上には支持桟３２が配設されるとともに、同支持桟３２には横胴渕３３が取付固定されている。そして、同横胴渕３３に図示しない内装板が取付固定されるとともに、外板１１の外面に胴渕等を介して外装板が取付固定されることにより、建築物の屋内及び屋外の壁面が構成される。
【００１７】
前記断熱材１３の内面の両側縁部には、前記支持桟３２を嵌合するための嵌合凹部２０が切り欠き形成されている。この嵌合凹部２０は、嵌合された支持桟３２の内面が断熱材１３の内面と同じ高さとなるように、その深さが調整されている。また、嵌合凹部２０の隣接位置には、収容凹部２１が切り欠き形成されている。図６に示すように、この収容凹部２１内には、支持桟３２に沿って電線、電話線等の屋内配線３４が布設される際、同屋内配線３４が収容される。
【００１８】
図３及び図４（ａ），（ｂ）に示すように、断熱材１３の外面において、その両側部にはそれぞれ調整溝２２が断熱材１３の厚み方向へ凹設されている。同調整溝２２は、断熱材１３の長手方向へ延びるように、該断熱材１３の全体にわたって形成されている。調整溝２２よりも側方部分となる断熱材１３の側端部１３ａは、同調整溝２２が狭まることによって変形することにより、断熱材１３の短手方向、つまり建築用パネルの嵌め込み方向と交差する方向へ圧縮可能に形成されている。また、断熱材１３がポリスチレン発泡体より形成されていることから、同側端部１３ａは、変形した状態から元の形状に復元しようとする、所謂ばね作用を有している。このように、断熱材１３は、嵌め込み時に側端部１３ａが圧縮されることから両柱３１間への嵌め込みを簡易なものとされ、かつ嵌め込まれた後には調整溝２２に基づくばね作用により、側端部１３ａが一定の付勢力をもって柱３１に押付けられる。
【００１９】
断熱材１３の両側部の外面には、ばね作用による変形時において、その外面が外板１１に接触され、ばね作用が阻害されることを防止するため、非接触部２３が凹設されている。また、嵌め込み時に各柱３１への摺接面となる断熱材１３の側面には、嵌め込み方向へ向かうに従って断熱材１３の内方へ傾斜する傾斜面２４が形成されている。そして、同傾斜面２４を設けることにより、断熱材１３は一対の柱３１間への嵌め込みを容易なものとされるとともに、嵌め込み時に側端部１３ａの圧縮方向が嵌め込み方向と交差する方向となるように案内される。
【００２０】
次に、実施形態の建築用パネルにおける作用について説明する。
上記構成の建築用パネルは、予め工場等の別箇所で組み立てられ、作業現場まで搬送される。この組み立ては、外板１１に、まず間柱１２を接合した後、本体部１４ａ及び蓋材１８を互いに接合して得られた分割体１４を外板１１の所定箇所にそれぞれ接合することによって行われる。なお、分割体１４の外板１１への接合は、外板１１に本体部１４ａを接合した後、同本体部１４ａの係止段部１７の内周面と、外板１１の内面とによって囲まれた空間部分に蓋材１８を挿入することによって行ってもよい。
【００２１】
建築用パネルを組み立てるとき、予め測定された一対の柱３１間の距離と、土台及び桁間の距離に基づく取付位置のサイズに応じて断熱材１３のサイズ調整が行われる。すなわち、断熱材１３は、一対の柱３１間の距離に応じてその短手方向の長さがサイズ調整されるとともに、土台及び桁間の距離に応じてその長手方向の長さがサイズ調整される。
【００２２】
図５に示すように、この断熱材１３のサイズ調整は、各分割体１４毎にそれぞれの接合部分２５を切除したり、接合部分２５に継ぎ足しをすることにより行われる。このとき、断熱材１３の短手方向の長さのサイズ調整は、各分割体１４と間柱１２との間の接合部分２５の切除又は継ぎ足しにより行われる。また、断熱材１３の長手方向の長さのサイズ調整は、上下一対の各分割体１４の間の接合部分２５の切除又は継ぎ足しにより行われる。
【００２３】
断熱材１３のサイズが取付位置のサイズよりも小さい場合には、各接合部分２５に接合材料が接着等の方法により継ぎ足される。この接合材料としては、木材、金属材料、発泡体等が挙げられるが、中でも断熱性を有する発泡体が好ましく、また接着等の方法により継ぎ足されることから、断熱材１３を形成する発泡体と同じ合成樹脂より形成された発泡体を使用することが好ましい。
【００２４】
断熱材１３のサイズが取付位置のサイズよりも大きい場合には、前記接合部分２５が切除される。特に、建築物を施工する際、土台及び桁間の距離はほぼ一定であるが、柱３１間の距離は一定ではなく、各部屋の間取り等に応じて頻繁に変更される。従って、多くの場合、断熱材１３は、各分割体１４と間柱１２との間の接合部分２５の切除又は継ぎ足しによる短手方向の長さのサイズ調整が行われる。
【００２５】
上記のように断熱材１３の短手方向の長さのサイズ調整が行われるとき、接合部分２５の切除により、分割体１４の周壁部分が取り除かれ、密閉空間１９が開放されてしまう場合がある。この場合、リブ１６を構成する横リブ１６ａが柱３１と交差する方向、つまり断熱材１３の短手方向に延びていることから、接合部分２５を切除したとしても、同横リブ１６ａはその長さが短くなるのみでその全体が切除されることはない。さらに、当該横リブ１６ａに加え、縦リブ１６ｂが設けられることにより、一部の密閉空間１９が開放されたとしても、同縦リブ１６ｂが壁となることにより、他の密閉空間１９は密閉状態を保持される。また、断熱材１３の長手方向の長さのサイズ調整が行われる場合においても、縦リブ１６ｂはその長さが短くなるのみでその全体が切除されることはなく、横リブ１６ａが壁となることにより、接合部分２５と重なる範囲以外の密閉空間１９の密閉状態が保持される。
【００２６】
従って、接合部分２５の切除により、分割体１４の周壁部分が取り除かれたとしても、外板１１に対し、横リブ１６ａ及び縦リブ１６ｂからなるリブ１６と蓋材１８とを介して本体部１４ａが支持されることにより、分割体１４を外板１１に安定して接合することが可能である。加えて、開放された一部の密閉空間１９においては、横リブ１６ａの端面と間柱１２の側面との接合又は分割体１４同士の接合により、密閉状態とすることが可能である。
【００２７】
さて、上記建築用パネルを取付位置に取付けるときには、図４（ａ）に示したように、まず建築物の屋外側から、柱３１に対し断熱材１３の傾斜面２４の端縁が接触され、同建築用パネルが屋内方向へ向かって押し込まれる。すると、断熱材１３は、傾斜面２４が柱３１の内面に摺接されながら押し込まれるに従い、図４（ｂ）に示したように調整溝２２が狭まり、その側端部１３ａが断熱材１３の短手方向へ圧縮されるように変形される。そして、図３に示したように、建築用パネルが柱３１間に完全に嵌め込まれたとき、断熱材１３の側部が変形された状態から元の形状に復元しようとすることにより、側端部１３ａが一定の付勢力をもって柱３１に押し付けられ、柱３１間に固定される。
【００２８】
その後、外板１１が柱３１に釘等で取付固定されるとともに、嵌合凹部２０に支持桟３２が嵌合され、支持桟３２及び柱３１に横胴渕３３が取付固定されることにより、建築用パネルが取付位置に完全に固定される。そして、図６に示したように、断熱材１３の収容凹部２１内で支持桟３２に沿って屋内配線３４が布設され、収容された後、外装材、内装材等が施工され、建築物の壁が構成される。
【００２９】
前記の実施形態によって発揮される効果について、以下に記載する。
・　実施形態の建築用パネルによれば、断熱材の外面に調整溝２２が形成されることにより、断熱材１３の側端部１３ａに同調整溝２２に基づくばね作用が付与されている。このばね作用により、断熱材１３の側面を柱３１に隙間なく当接させることができる。このため、建築用パネルを柱３１間に嵌め込んだ後、充填剤で隙間を埋める作業を省略し、工数を少なくすることができ、製造コストを低減することができる。
【００３０】
・　また、断熱材１３は、中空状の分割体１４を組み合わせることにより、その内部に密閉された空間を有している。さらに、断熱材１３の内部の空間は、横リブ１６ａ及び縦リブ１６ｂから格子状に形成されたリブ１６により区分けされており、断熱材１３内には複数の密閉空間１９が形成されている。このため、サイズ調整等により何れかの密閉空間１９が開放されてしまった場合でも、他の密閉空間１９は密閉状態を保持することができる。従って、断熱材１３の内部に密閉空間を確実に形成することができ、断熱性を維持することができる。
【００３１】
・　また、断熱材１３の屋内側の面となる内面には、支持桟３２を嵌合するための嵌合凹部２０が設けられるとともに、同嵌合凹部２０の隣接位置には支持桟３２に沿って布設される屋内配線３４を収容するための収容凹部２１が凹設されている。このため、作業現場において、取付位置を考慮しながら支持桟３２及び屋内配線３４を位置決めする必要がなく、施工が容易で、作業効率を向上させることができる。
【００３２】
・　また、断熱材１３は４つの分割体１４を組み合わせて構成されている。各分割体１４は、凹部１５を有する本体部１４ａと、同凹部１５の開口を閉塞するように本体部１４ａに接合される蓋材１８とによって中空状に形成されている。
さらに、凹部１５の内底部にリブ１６が突設され、分割体１４の内部の空間がリブ１６で区分けされることにより、各分割体１４が内部に複数の密閉空間１９をそれぞれ有している。このため、サイズ調整を行うとき、各分割体１４の接合部分２５を切除しても、各分割体１４内には密閉空間１９が保持されている。従って、各分割体１４がそれぞれの内部に密閉空間１９を有することにより、断熱性を確実に維持しつつ、サイズ調整を簡易に行うことができる。
【００３３】
なお、本実施形態は、次のように変更して具体化することも可能である。
・　前記建築用パネルは壁材として使用されることに限らず、床材、天井材、屋根材等に使用してもよい。例えば、建築用パネルを床材として使用する場合、支持材は土台、桁等となる。また、天井材、屋根材等として使用する場合、支持材は梁、桟等となる。
【００３４】
・　前記調整溝２２は、断熱材１３の側端部１３ａの外面に設けられることに限らず、側端部１３ａにばね作用を付与することが可能であれば、断熱材１３の屋内側の面、つまり内面に設けてもよい。あるいは、断熱材１３の外面及び内面の両方にそれぞれ調整溝を設けてもよい。
【００３５】
・　断熱材１３は、必ずしも複数の分割体１４を組み合わせて構成されることに限定されず、例えば一面が開口された箱状をなし、その内部にリブが突設されるように断熱材を形成してもよい。このように構成した場合、サイズ調整により断熱材の一部を切除しても、その内部にリブに囲まれた密閉空間を形成することができ、断熱性を維持することができる。また、リブは、頻繁に行われる断熱材１３の短手方向の長さのサイズ調整に対応することができるように、少なくとも断熱材１３の短手方向に延びるものを設けることが好ましい。さらに、リブは、断熱材１３の長手方向の長さのサイズ調整にも対応することができるように、短手方向及び長手方向に格子状延びるものを設けることがより好ましい。
【００３６】
・　各分割体１４の背面を隙間なく外板１１に接合し、さらにリブ１６の端面を隙間なく外板１１に接合するのであれば、蓋材１８を省略して構成してもよい。このように構成した場合、建築用パネルの構成を簡易なものとし、製造コストの低減を図ることができる。
【００３７】
・　分割体１４を構成する本体部１４ａにおいて、凹部１５の内周面に設けられた係止段部１７を省略してもよい。この場合、リブ１６の高さを本体部１４ａの背面の高さに揃え、蓋材１８を本体部１４ａの背面の周縁部分及びリブ１６の端面のうち少なくともいずれか一方に接合することが好ましい。このように構成した場合、係止段部１７による本体部１４ａに対する蓋材１８の位置決め機能は省略されるが、本体部１４ａの構成を簡易なものとし、製造コストの低減を図ることができる。
【００３８】
・　サイズ調整時等に開放された一部の密閉空間１９において、横リブ１６ａの端面と間柱１２の側面との接合又は分割体１４同士の接合により、同密閉空間１９を密閉状態とすることに限らず、次のようにして開放された密閉空間１９を密閉状態としてもよい。すなわち、分割体１４の切断面又は接合面において、同切断面又は接合面に粘着テープ等を貼着することによって開放された密閉空間１９を閉塞してもよい。なお、この接合面とは、間柱１２又は他の分割体１４へ接合する面をいう。この他に、間柱１２との間の接合部又は分割体１４同士の接合部を内面側から覆うように、これら接合部に粘着テープ等を貼着し、密閉状態を保持してもよい。さらに、横リブ１６ａの端面と間柱１２の側面とが接合又は分割体１４同士が接合された場合であっても、間柱１２との間の接合部又は分割体１４同士の接合部に粘着テープ等を貼着し、同接合部に形成される隙間を確実に塞ぐように構成してもよい。
【００３９】
・　断熱材１３は、ビーズ法によるポリスチレン発泡体に限らず、押出し法によるポリスチレン発泡体、ポリエチレン発泡体、フェノール樹脂発泡体等の他の樹脂発泡体で形成してもよい。
【００４０】
・　前記リブ１６は、必ずしも横リブ１６ａと縦リブ１６ｂとから格子状に形成されるものに限らず、頻繁に行われる断熱材１３の短手方向の長さのサイズ調整に対応することができるように、少なくとも横リブ１６ａが設けられていればよい。
【００４１】
さらに、前記実施形態より把握できる技術的思想について以下に記載する。
・　前記分割体は、少なくとも一面が開口された凹部を有する本体部と、同本体部の凹部の開口を閉塞する蓋材とにより、中空状に形成されたものである請求項３に記載の建築用パネル。このように構成した場合、中空状の分割体を簡易に構成することができる。
【００４２】
・　前記断熱材は、その内部に設けられるリブとして、少なくとも支持材と交差する方向へ延びる横リブが設けられたものである請求項１から請求項３のいずれかに記載の建築用パネル。このように構成した場合、柱間の距離に応じて断熱材のサイズ調整を行う場合にリブが切除されてしまうことを防止することができる。
【００４３】
・　前記外板の短手方向の中央部には間柱が外板の長手方向に延びるように接合されるとともに、前記分割体は、同間柱を短手方向の両側方から挟み込むように配設される請求項３に記載の建築用パネル。このように構成した場合、建築用パネルの強度を向上させることができる。
【００４４】
・　前記断熱材は、両側端面に嵌め込み方向へ向かうに従って断熱材の内方へ傾斜する傾斜面が形成されたものである請求項１から請求項３のいずれかに記載の建築用パネル。このように構成した場合、嵌め込みを容易に行うことができるとともに、嵌め込み時に断熱材の一部を確実に変形させることができる。
【００４５】
【発明の効果】
以上詳述したように、この発明によれば、次のような効果を奏する。
請求項１に記載の発明によれば、作業工数を少なくして、施工を簡易なものとすることができるとともに、断熱材の内部に密閉空間を確実に形成することができ、断熱性を維持することができる。
【００４６】
請求項２に記載の発明によれば、請求項１に記載の発明の効果に加えて、支持桟及び屋内配線の施工を簡易なものとし、作業効率を向上させることができる。請求項３に記載の発明によれば、請求項１又は請求項２に記載の発明の効果に加えて、断熱性を確実に維持しつつ、サイズ調整を簡易に行うことができる。
【図面の簡単な説明】
【図１】実施形態の建築用パネルを示す分解斜視図。
【図２】（ａ）は断熱材を構成する分割体を示す正面図、（ｂ）は断熱材を構成する分割体を示す背面図。
【図３】実施形態の建築用パネルを示す断面図。
【図４】（ａ）及び（ｂ）は断熱材を柱間に嵌め込む状態を示す平面図。
【図５】断熱材のサイズ調整を行う状態を示す概念図。
【図６】屋内配線が施工された状態を示す斜視図。
【符号の説明】
１１…外板、１３…断熱材、１４…分割体、１６…リブ、１９…密閉空間、２０…嵌合凹部、２１…収容凹部、２２…調整溝、３１…支持材としての柱、３２…支持桟、３４…屋内配線。
【図１】
2004092343.tif 000003
【図２】
2004092343.tif 000004
【図３】
2004092343.tif 000005
【図４】
2004092343.tif 000006
【図５】
2004092343.tif 000007
【図６】
2004092343.tif 000008